(57)【要約】【課題】延伸ブロー成形を用いて成形することの出来るプラスチック材料から、容器を製造するための、その内部空間が完成容器に相当する装置。【解決手段】容器はその開放端でガス流パイプ付き受け台により保持され、可動延伸ダイ（１）が受け台を通って軸方向に案内され、容器内部でガス混合物に点火するため、点火装置が取り付けられる。綺麗で透明な壁など外側の外観が良い容器を製造するため、及び製造の信頼性を改善するため、受け台はその容器に面する端部で主分配ブロック（２）と流体漏れしない方法で係合させることが出来、延伸ダイ（１）は受け台の軸方向に前記分配ブロックを通って動くことが出来るよう案内される。主分配ブロック（２）の容器から逸れた第１領域に少なくも１つの流体接続部（１３）が作られており、主分配ブロック（２）の反対側の容器に面する第２領域に追加の流体接続部（１４）が作られる。第２領域にある２つの流体接続部（１３、１４）からのパイプ（２６，１４、１５）は、主分配ブロック（２）内で互いに接続される。接続点（１６）と受け台との間に単一共通流路（１５）が作られる。【選択図】図１
2004516954.tif 000002
【特許請求の範囲】
【請求項１】
内部空間が完成容器のそれに相当する金型を用いて延伸ブロー成形により変形することの出来るプラスチックから、その開放端でガス供給ライン付のホルダに保持される容器を製造するための装置において、ホルダを通って軸方向に可動延伸ダイ（１）が案内され、爆発性ガス混合物に点火するため点火装置が容器内部に配置される装置であって、
その端部で容器から離れて面するホルダを、フロー剤を漏れないように主分配ブロック（２）と係合（ロックワッシャ面２９）させることが出来、それを通じて延伸ダイ（１）をホルダの軸方向に可動に貫通させることが出来ることと、
少なくも１つの第１フロー剤接続部（１３）が、主分配ブロック（２）の容器を離れた第１領域に取付けられ、追加フロー剤接続部（１４）が、主分配ブロック（２）の容器に面する反対側領域に取付けられ、第２領域にある少なくも２つのフロー剤接続部（１３、１４）からの供給ライン（２６、１４、１５）が、主分配ブロック（２）内で互いに接続されることと、
接続点（１６）とホルダとの間に、１つの単一共有流路（１５）が形成されることとを特徴とする装置。
【請求項２】
第２フロー剤接続部（１４）が、安定的に取付けられる制御弁（２７）付の剛性で短い接続パイプ（２４，２５）を有することを特徴とする請求項１に記載の装置。
【請求項３】
静止が好ましい主分配ブロック（２）内に、それに対し軸方向に駆動されて動くことの出来る中空ピストン（５）が設けられ、その中空ピストンは、ホルダに面するその外端に、ホルダに整合する環状ロックワッシャ面を有することを特徴とする請求項１又は２に記載の装置
【請求項４】
主分配ブロック（２）が、分配ブロック（７）と、中空アダプタ（９）とから成ることを特徴とする請求項１乃至３の何れか１項に記載の装置。
【請求項５】
ホルダが中空で、容器を離れて面するその端部に、延伸ダイ（１）をホルダの軸方向に可動に貫通させる環状封止面を有することを特徴とする請求項１乃至４の何れか１項に記載の装置。
【請求項６】
中空延伸ダイ（１）の容器に面する領域内に、点火装置がその中に取付けられており、好適には中空打ち抜きダイ（１）を貫通するケーブル（３０）を経て制御装置に電気的に接続されることを特徴とする請求項１乃至５の何れか１項に記載の装置。
【請求項７】
ホルダが、その長手中心軸に対し直交して動くことが出来るように駆動されること、を特徴とする請求項１乃至６の何れか１項に記載の装置。
【請求項８】
主分配ブロック（２）内に、延伸ダイ（１）を案内するため、中空ピストン（５）と整列してシーリングダクト（３）が取付けられることを特徴とする請求項１乃至７の何れか１項に記載の装置。
【請求項９】
主分配ブロック（２）内に、点火装置が固定されることを特徴とする請求項１乃至８の何れか１項に記載の装置。
【発明の詳細な説明】
【０００１】
【発明の属する技術分野】
本発明は、内部空間が完成容器のそれに相当する金型を用いて延伸ブロー成形により変形することの出来るプラスチックから、その開放端でガス供給ライン付のホルダに保持される容器を製造するための装置に関し、ホルダを通って軸方向に可動延伸ダイが案内され、爆発性ガス混合物に点火するため点火装置が容器内部に配置される装置に関する。
【０００２】
【従来の技術】
国際公開番号Ｗ０９８／０６５５９号から、テレフタル酸ポリエチレン（ＰＥＴ）製ボトルなど、プラスチック製容器製造用の上述の型の装置が公知である。これらのＰＥＴボトルは、素材を先ず延伸ブローに適切な約１００−１２０℃まで加熱し、これを金型に導入して製造する。素材は、可動ストレッチダイを用いて軸方向に延伸される。酸素・水素混合物と不活性ガスとの混合物など、爆発性ガス混合物をブローすることにより延伸圧力を生じる一方で、爆発性ガス混合物の点火によりブロー圧力が作られ、このブロー圧力が中間素材／部分的前成形容器を金型の内壁に完全に押しつける。爆発性ガス混合物は、酸化剤と、水素、メタン又は類似の酸化可能成分との混合物である。
【０００３】
技術的基礎に関し、既存装置を用いて作られた容器は工業的に用いることが出来ないことが示された。形と容積の関係から及び外観上の関係からも、十分な品質で製造し再生産することは、不可能であった。綺麗で透明な壁を有するＰＥＴボトルを製造することなどは出来なかった。わざとそうしたものではない限り、あるいは特別な理由で認められたものでなければ、ときには不快でこの外観は、避けられない温度の影響のため引起こされると疑われた。
【０００４】
社内で既に提案されていたのは、ホルダを、容器から離れて面する端部で、フロー剤を漏れないように主分配ブロックと係合させ、それを通じて延伸ダイをホルダの軸方向延長部分に可動に貫通させることが出来、その上に少なくも１つのフロー剤接続部が取付けられるものであった。弁を用いて閉鎖するのが好ましい内部空間を装置側に作り、点火装置を装置側の内部空間に取付ける。生産工程の途中では、一段階でホルダを分配ブロックと流体漏れなく係合させ、別の段階で分配ブロックとの係合を外す。延伸段階では、延伸ダイを分配ブロックに通し、したがってホルダをも軸方向に動かせるよう貫通させる。
【０００５】
この古い提案の一変形例では、装置側の内部空間が、纏めて閉鎖した主ディストリビュータの装置部品、ホルダ及び金型内の容器により形成される。この変形例では、フロー剤は少なくも１つのフロー剤接続部を通って主分配ブロック内に入り、そこを通ってホルダと容器内に送られる。
【０００６】
他の変形例では、装置側の内部空間は、容器とその上に配置されたホルダだけで構成され、主分配ブロックがホルダから分離されたときなどには、ホルダが閉じられる。打ち抜きダイは軸方向にホルダを貫通する。
【０００７】
装置側の各種内部空間の各々は（実施例次第で）少なくも１つのフロー剤接続部の領域内に密封することが出来る。容積の小さい装置側密封空間内部だけで、そこに追加して置かれた点火装置によって起こされる爆発により、短期の高圧と高温と言う所望のパラメータを生じる。これらの内部空間を、生産工程完了の後、再び開けることが出来るのは自明である。爆発空間を囲むのに関与する装置側の容積は、非常に小さいので、水などの酸素水素混合物を使用するときは、極めて少量の反応生成物が残るだけである。
【０００８】
小さい装置側内部空間の密封により、格別に、好ましくない反応生成物（水）の堆積が出来なくなる。少なくも容器自体、好適にはホルダの付いた容器、が爆発後取り出され、堆積反応生成物もそれと一緒に取り出されるとの事実のためである。装置側の残りの内部空間には、したがって感知出来ない程少量の反応生成物が残るだけで、それ自体は連続生産工程の場合長時間無視するままにすることが出来る。
【０００９】
【発明が解決しようとする課題】
本発明の目的は、最初に述べた型の装置を、非常に綺麗で透明な壁を持つなど、外観の良いプラスチック容器をいっそう信頼性高く製造するよう改良することである。
【００１０】
古い社内提案の場合に、点火装置が起こす爆発は、ときに容器内で局所的に格別強い一方、他方では直接の水素入口から離れた場所では爆発を生じないことが立証されている状態では、ここで爆発とその効果の均一性を果たすのが望ましい。
【００１１】
【課題を解決するための手段】
本発明によると、その端部で容器から離れて面するホルダを、フロー剤を漏れないように主分配ブロックと係合させることが出来、それを通じて延伸ダイをホルダの軸方向に可動に貫通させることが出来ること、少なくも１つの第１フロー剤接続部が、主分配ブロックの容器を離れて面する第１領域に作られ、第２フロー剤接続部が、主分配ブロックの容器を離れて面する反対側領域に作られること、第２領域にある少なくも２つのフロー剤接続部からの供給ラインが、主分配ブロック内で接続されること、及び接続点とホルダとの間に、１つの単一共有流路が形成されること、によりこの目的が果たされる。古い提案による装置の場合、水素は、フロー剤の１つとして、供給ラインから、製造する容器上に出来るだけ高く、好適には容器自体内に、好適には点火装置の近くに、取り出される。その結果、水素をフロー剤混合物の酸化可能成分として他の成分と混合する際、酸化剤もまた、先ず出口領域に及び特に先ず容器内に見出されることとなる。成分の爆発性ガス混合物への混合は、したがって、信頼性高く完全には起こらない。必ずしも均一混合物が出来上がるとは限らず、局所爆発のみとの既述の欠点を伴う。爆発は化学量論的混合の時に発生するのが最適である。タイマを用いる時差制御など、混合物成分を個別に流入させることの出来る試みがなされた。しかし、このような制御は資源と金額の点から高価である。
【００１２】
本発明による第１フロー剤接続部、又は数個の第１フロー剤接続部を、製造される容器を逸れた主分配ブロックの第１領域に使用すると、酸化剤など、又は酸化剤もしくは空気さえも伴う混合物は、この接続を通じて導入することが出来る。第２フロー剤接続部を容器に近づけて置き、水素又はメタンなどの酸化可能剤をこれに通過させると、遠く離れた主分配ブロックの第１領域に酸化可能成分が殆ど全く残らないのを確実にすることが出来、その結果、良好な混合つまり酸化可能成分のその他フロー剤に対する良好な混入が生じ、均一で良好な爆発が起こる。
【００１３】
各種フロー剤成分の混合は、フロー剤接続部２つからのラインが互いに連結する接続点で起こる。接続点から先の容器に対する流れ方向に、フロー剤全部が通過しなければならない単一流路しかないときは、特にそうである。これらはこの流路上で混合され、酸化可能成分（水素又はメタン）の量に相当して、製造する容器の殆ど全空間で均一な、ほぼ化学量論的混合の分布が得られるとの結果となる。
【００１４】
本発明を用いて、酸化可能成分（水素、メタンなど）を、稼働中のフロー剤内部に正確な測定量だけ導入することが出来る。各分量の測定は、全時間、即ち供給ラインの開口部を通じてそれを閉じるまで、おこなう。その他の流れ成分、特に酸化剤もまた、その量に関して、供給ライン弁の開放後その弁が再度閉じられるまでこれら物質を流す方法などで、全時間測定することが出来るのが好ましい。本発明によると、酸化剤を有するフロー剤に関する開放と閉鎖の間の時間は、酸化可能物質に関するものより長い。これにより、酸化剤を含むフロー剤は、酸化可能成分を含むフロー剤が既に切られたときであっても、接続点を通過して更に流れることが確実になる。その結果、接続点の下流領域には、酸化可能成分を含むフロー剤は殆ど全くなくなる。したがって、容器ら離れた主分配ブロックの領域までは、爆発が伝搬しない。
【００１５】
一定の変形で、延伸ダイの配置が実質的に鉛直線方向になっており、このとき製造される容器が頂上に配置されているときは、主分配ブロックは底で容器から離れて、且つホルダの下に位置するので、主分配ブロックの第１領域は底に位置し、第２領域は容器に近い頂上に位置する。運転中、酸化成分用のフロー剤として空気を使用することが出来る。このとき空気は、下から、少なくも主分配ブロックのほぼ中央領域まで離れた第２領域に達する空気柱を、弁全部が閉じた後、参照することが出来るよう、底から流入して上向きに主分配ブロックを通る。酸化可能成分が切られた後に空気が流れる結果、酸化可能成分は接続点を過ぎて上向きに運ばれる。２つのフロー剤の流入／接続点から上向きに容器近くには、このとき酸化可能フロー剤は最早全く存在しない。したがって、下方で容器から大きく離れた領域で酸素・水素混合物が発達することは出来ないので、ここで危険な可能性のある爆発が起こることは出来ず、それからの反応生成物−即ち酸素水素混合物の場合は水−も無い。
【００１６】
本発明の好適変形例の場合には、空気を酸化剤とし、水素を酸化可能成分として採用し、空気弁を開いた３０ミリ秒後に水素用弁を開くと得策である。このとき水素は、ボトル型容器即ちプラスチック瓶など、製造する容器の大きさにより、９０ミリ秒から１４０ミリ秒の時間流入させる。続いて水素供給を切ると、空気は依然として製造する容器の方向に向かって接続点を通過する。空気は約２５０ミリ秒だけ流す。次いでその供給弁も又閉じる。これらの弁を用いた試験の結果、製造する容器内で、ガス混合物の均一で良好な爆発が起こった。空気弁の最終閉鎖の直後に、点火信号をもう一度始動させた。
【００１７】
本発明の更に進んだ変形例の場合は、第２フロー剤接続部が、安定的に取付けられた制御弁付の剛性で短い接続管を有する。酸化可能フロー剤（水素又はメタンなど）用供給ラインが不動なので安全性の高いのが特徴である。堅固に置かれたパイプは、互いに溶接で接続することが出来るので、最高の安全規格を生じる。可撓性の管を避けて剛性で短い接続パイプを使用すると、囲まれる容積を精密に定めることが出来るので、作成する混合物の成分量をいっそう精密に決定することが出来る。本発明の特に好適な変形例においては、主分配ブロックから制御弁に達する接続パイプは、５乃至２０ｍｍの長さが好ましく、約１０ｍｍの長さであると極めて有利に構築される。
【００１８】
本発明にしたがい、静止が好ましい分配ブロックに、ブロックに対し軸方向に可動の駆動中空ピストンがあり、これがホルダに面する外端に、ホルダと整合する環状のロック−ワッシャ面を有すると、有利に働く。主分配ブロックはまた、一体で設計し、対応して動かされるホルダと接続し、ホルダと主分配ブロックとの間の接続を、制御された方法で緩めることが出来るような設計とすることが出来る。しかし緩めるのは、中空ピストンの付いた上述の手段を用いて、特に有利に実行される。主分配ブロックをホルダに対して接続し／それから開放するためには、主分配ブロックもホルダも事実上軸方向に−ほぼ中空延伸ダイの方向に−動かす必要はない。中空ピストンが、好適には油圧で、軸方向に駆動されるからである。中空ピストンには、その外端に、ホルダに整合するロックワッシャ面があり、これがホルダを主分配ブロックに対し接続している間、ホルダの封止面と緊密な係合に入る。ブローと殺菌処理の後、中空ピストンの動きは逆転し、封止面がロックワッシャ面から外れ、ホルダは上述の方法でその縦軸の方向に垂直にシフトされる。このシフトは、一歩一歩作業する製造工程のブロー／殺菌処理の後、毎回発生する。
【００１９】
更に、本発明によって、主分配ブロックで分配ブロック及び中空アダプタ構成すると、得策である。中空アダプタは、主分配ブロックの容器に向き合う側に配置し、そこに固定することが出来るので両部品（分配ブロックと中空アダプタ）は中空でない準単一部品の主分配ブロックを形成する。しかし、このとき、酸化成分用供給ライン再組付けの場合に、アダプタだけは再組付けする、つまり再構築する必要がある。この目的が、分配ブロックから取り外して交換することを必要とするからである。
【００２０】
本発明の更に有利な設計は、ホルダが中空で容器から離れて面する端部に封止面を有し、それを通って延伸ダイがホルダの軸方向延長部分に可動に貫通することである。ホルダは、延伸ダイが細長い設計のホルダ全体の一端から反対端まで動くことが出来るよう、中空であるのが好ましい。それでも、ホルダは、延伸ダイのための空間を囲んで伸びしたがって環状の封止面を用いて、フロー剤が漏れない方法で分配ブロックと接続することが出来る。延伸ダイがフロー剤の漏れない方法で、ガスが好ましい随意のフロー剤が、ホルダによって、ガスを装置外に逃がすことなく分配ブロックの外に押し出されて製造する容器に入るよう、この環状封止面を通過すると有利である。ホルダ設計が中空であるため、延伸ダイを容器内に貫通させ再びそこから引き出すことが出来るだけでなく、フロー剤もまた延伸ダイの外面とホルダの内面との間を通って容器内に送ることが出来るのに加えて、ホルダ内部の容積が比較的小さく保たれる。詳細には、爆発のため作られた空間を、供給ライン内で反応生成物を作る化学反応を防止するよう、装置側の、上述の内部空間に限ることが出来る。
【００２１】
本発明によって、中空延伸ダイの容器に面する領域内に、点火装置がその中に取付けられており、好適には中空打ち抜きダイを貫通するケーブルを経て制御装置に電気的に接続されると、得策である。中空延伸ダイのこのような設計を用いて、爆発性フロー剤混合物の点火を製造する容器のほぼ中心で起こすことが出来る。容器の更に外側に位置する装置部品はこのとき、処理次第で、切り離すか又は閉じることが出来る。ケーブル又はｐｃｂ（プリント基板）トラックを通じる点火の起動は、延伸ダイの中空設計を用いて同様に有利におこなわれる。
【００２２】
本発明によって、ホルダは、その長手中心軸に対し直交して動くことが出来るように駆動されると、有利がある。その結果、驚くべきことに、装置側の内部空間、即ち中空ホルダの空間、の大部分を、各延伸及びブロー処理の後、つまり、詳しくは各燃焼の後に、中空ピストン付きの主分配ブロックなど、別の静止している装置から、壁に付着した反応生成物と一緒に、別々に除去することが出来る。これら反応生成物のすべては、延伸とブロー、詳しく言えば化学的燃焼の、次の工程では何の役も果たさない。随意に付着反応生成物を有する装置側の内部空間は、このとき中空ダイの内部と主分配ブロックの内部の空間に限定される。酸素・水素混合物を用いるときは、次の酸化処理に極めて少ない水が反応生成物として持ち込まれるので、容器内壁が爆発の間及び後に不利な影響を受けることはない。
【００２３】
更に、本発明によって、延伸ダイを案内するため、シーリングダクトを主分配ブロックとともに中空ピストンと並べて取付けることが出来る。これにより、装置側の内部空間をガス漏れのない密封のままに保って、延伸ダイを軸方向に、主分配ブロック、その中空ピストン、下流ホルダを通してホルダ内又はこれら部品の外に動かすことが出来る。
【００２４】
圧力センサ及び温度測定装置を、装置内各種個所、好ましくは主分配ブロックの領域内、また中空延伸ダイ内にも配置することが出来ることは注目される。
【００２５】
点火装置が各種物理原理に基づくことが出来るのは自明である。媒体混合物の点火は、最も簡単な場合、延伸ダイ又はディストリビュータ上に取付けることの出来る点火栓などを含む火花間隙を通じて、又は静電放電を用いて電気的に起こす。加えて、ほとんどがレーザ、高周波、もしくはマイクロ波パルスの形の電磁エネルギーの放射、又は触媒過程を用いるなど、別の点火方法もまた可能である。
【００２６】
本発明による実用的変形例は、さらに点火装置が主分配ブロック内に取付けられることを特徴とする。このとき延伸ダイは主分配ブロック内の空間、延伸ダイと中空ピストンとの間の空間及び延伸ダイとホルダとの間の空間に、距離をおいて囲まれている。この距離は環状空間を意味し、これはフロー剤流路と見なすことが出来るのでそのような設計となっている。大型設計の場合は、大量のフロー剤を容器内に反対方向で注ぎ込むことが出来る。点火装置が主分配ブロック内で点火する爆発は、このときフロー剤と水で満たされたこの空間全体に極めて急速に伝播する。この空間の外側は、分配ブロック上のラインにある逆止め弁で限られている。
【００２７】
本発明による装置を用いると、混合物の酸化可能成分導入量のみを用いて爆発を制御することが出来る。ガス混合物成分の均一分布が達成される。空気を酸化剤を伴うフロー剤混合物として流入することが出来る時間の間、水素又はメタンは、導入即ち接続点から、遅めに開いて早めに閉じることにより短い時間だけ、導入又は接続点から、渦巻き運動で良く混合するよう、導入されるので、次いで製造する容器に到着するガスは、均一に良く混合される。容器から離れて面する主分配ブロックの領域内では、このとき爆発混合物の酸化可能成分はほとんど全く存在しないので、爆発は、主分配ブロック内まで続かない。
【００２８】
【発明の実施の形態】
本発明の利点、特徴及び可能な用途は、好適変形例を示す添付図面と関連する以下の既述から明らかとなる。
製造する容器は示されていないが、この場合はＰＥＴなどのプラスチック製ボトル型である。ＰＥＴ容器は、その開放端を下に向けていると想像する。これは封止状態でホルダ（不図示）の上縁と接続され、それにより保持される。ホルダはスリーブ型で、供給ライン及びその他の部品に対し、図では細い中空パイプとして示した延伸ダイ１全体を、一般的に２であらわした主分配ブロックの中心を通って、垂直な一方向に自由に動くことが出来る。延伸ダイ１は、ホルダ（不図示）を軸方向に貫通するだけでなく、シーリングダクト３，装置側内部空間４及び距離をおいて中空ピストン５も貫通する。中空ピストンは、封止状態で分配ブロック７の垂直連続内腔６及びアダプタ９の垂直連続内腔８をも配置される。例えば、ここでは、分配ブロック７の中程にあるピストンシール１０と、主分配ブロック２の上部第１領域（ここではアダプタ９の上）にあるピストンシール１０’、を認めることが出来る。
【００２９】
中空設計の分配ブロック７は、これも中空のアダプタ９とともに、全体を２であらわした主分配ブロックを形成する。分配ブロック７と中空のアダプタ９は、互いに堅固に取付けられる。他方これらに対して、中空ピストン５が、上下に、この変形例では延伸ダイ１の長手方向延長部分に平行に動くことが出来る。中空ピストン５の可能な運動を両矢印１１で示す。油圧接続１２により、両矢印１１に相当する中空ピストン５の運動を制御することが出来る。
【００３０】
主分配ブロック２は、垂直に上に想像されるボトル型容器から離れて面する第１領域内に、制御可能弁付の供給ライン（不図示）を通じて空気などが装置側内部空間４に圧入される第１フロー剤接続部１３を有する。
【００３１】
第２フロー剤接続部１４（酸化可能フロー剤、水素又はメタン、用）が反対側の、上記容器に面する主分配ブロック２の第２領域内に作られている。
【００３２】
中空ピストン５は、下部領域にブローされる空気のため、及び上部領域にブローされる水素と空気の混合物用のダクトを表す中央流路１５を備えている。これらのダクト１４と１５は、ボトルに近い主分配ブロック２の上部領域で互いに接続される。対応する接続点１６は、図１に破線で示した水平面１７の高さにある。これは図２の断面図のレベルである。図１及び２の第２フロー剤接続部１４のダクトは、左から右に連続垂直内腔８向かって走り、中空ピストン５の外側を完全に囲む環状間隙１８内に開く。この環状間隙１８から開口部１９が中央流路１５と同様に伸長している。４個の開口部１９は互いに９０度で配置されるので、第２フロー剤接続部１４から環状間隙１８と開口部１９を通って来るフロー剤が、出来るだけ均一に中央流路１５に達する。接続点１６もまたしたがって開口部１９と中央流路１５との間の接触面である。
【００３３】
図２は、４個の固定ねじ２０を示す。これを用いて中空アダプタ９が分配ブロック７にねじ止めされ、主分配ブロック２を形成する。外側には、４つのねじ孔２１を示す。これを用いて主分配ブロック２が機械にねじ止めされる。
【００３４】
図２の右下には圧力センサ２２もまた示されている。
両図の表現において、アダプタ９内の第２フロー剤接続部１４は、左向きに逆止め弁２３に接続される。逆止め弁に対しては、左外向きに第１ねじ連結器２４、続いてさらに、第２ねじ連結器２５が接続される。これらを用いて、供給ライン２６が形成されており、これが第２フロー剤接続部１４を、磁気コイル２８の付いた制御弁２７に接続する。
【００３５】
図１では、上で既述のホルダを想像している。これは、中空シリンダ５を上向きに矢印１１の方向に上げると、ロックワッシャ面２９を介して漏れのない係合に入る。
【００３６】
中空打ち抜きダイ１の上にある点火装置（不図示）は、図２に見えるケーブル３０を用いて電気的に制御装置（不図示）と接続される。
【００３７】
導入する水素又はメタンの分量は、制御弁２７のタイマ制御を用いてタイマ制御をする。この酸化可能成分（水素又はメタン）は、接続点１６から、中央流路１５内を上向きに運ばれる空気流中に持ち込まれて空気流と混合し均質分散混合物になる。制御弁２７が切られた後でも、最後に切られるまで、空気は更に上向きに中央流路中を流れ続ける。これにより、中空ピストン５の中央より下及び接続点１６より下の大部分には、第２フロー剤接続部１４からの酸化可能成分が、全く又はほとんど全く、無いのが確実になる。
【図面の簡単な説明】
【図１】
延伸ダイがその中央を通過しており、第２フロー剤接続部がそれと直交して出ていて、これを通じて酸化可能成分を供給することが出来る構成の主分配ブロックの断面図。
【図２】
図１の線ＩＩ−ＩＩに沿う断面図
【符号の説明】
１     延伸ダイ
２     主分配ブロック
３     シーリングダクト
４     装置側内部空間
５     中空ピストン
６     垂直連続内腔
７     分配ブロック
８     垂直連続内腔
９     アダプタ
１０、１０‘  ピストンシール
１１   両矢印（中空ピストン５の可能な運動）
１２   油圧接続
１３   第１フロー剤接続部（空気用）
１４   第２フロー剤接続部（Ｈ２：酸化可能成分用）
１５   中央流路
１６   接続点
１７   水平面
１８   環状間隙
１９   開口部
２０   固定ねじ
２１   ねじ孔
２２   圧力センサ
２３   逆止め弁
２４   第１ねじ連結器
２５   第２ねじ連結器
２６   供給ライン
２７   制御弁
２８   磁気コイル
２９   ロックワッシャ面
３０   点火ケーブル
【国際公開パンフレット】
2004516954.tif 000003
2004516954.tif 000004
2004516954.tif 000005
2004516954.tif 000006
2004516954.tif 000007
2004516954.tif 000008
2004516954.tif 000009
2004516954.tif 000010
2004516954.tif 000011
2004516954.tif 000012
2004516954.tif 000013
2004516954.tif 000014
2004516954.tif 000015
2004516954.tif 000016
2004516954.tif 000017
2004516954.tif 000018
2004516954.tif 000019
【国際調査報告】
2004516954.tif 000020
2004516954.tif 000021
2004516954.tif 000022
2004516954.tif 000023
2004516954.tif 000024
2004516954.tif 000025